(57)【要約】【課題】原稿のスキャン条件に応じて、ユーザ認証後に原稿の読み取り処理を開始するか、あるいは、原稿の読み取り処理の開始後にユーザ認証するかを選択可能とする。【解決手段】画像処理装置１０は、ＬＡＮ３を介して認証サーバ２０と接続され、制御部１１、認証入力部１２、スキャナ部１５を備える。制御部１１は、ユーザ認証後に原稿の読み取り処理を開始する第１の処理、あるいは、原稿の読み取り処理の開始後にユーザ認証する第２の処理を、原稿の読取条件に応じて選択する。原稿の読取条件は、例えば、原稿が原稿台にセットされたか自動原稿送り装置にセットされたか、セットされた原稿の量が多いか少ないか、モノクロ原稿かカラー原稿か、機密原稿か通常原稿か、などであり、これらの読取条件に応じて第１の処理、第２の処理のいずれかを選択する。【選択図】図２
2008113356.tif 000002
【特許請求の範囲】
【請求項１】
原稿の読み取り処理のためにユーザ認証を行う原稿読取装置であって、
ユーザ認証後に原稿の読み取り処理を開始する第１の処理、あるいは、原稿の読み取り処理の開始後にユーザ認証する第２の処理を、原稿の読取条件に応じて選択する選択手段を備えたことを特徴とする原稿読取装置。
【請求項２】
原稿台にセットされた原稿を読み取る手段と、自動原稿送り装置にセットされた原稿を読み取る手段とを備え、
前記選択手段は、前記原稿台にセットされた原稿を読み取る場合、前記第１の処理を選択することを特徴とする請求項１に記載の原稿読取装置。
【請求項３】
セットされた原稿の量を検知する検知機能を備えた自動原稿送り装置と、該自動原稿送り装置にセットされた原稿を読み取る手段とを備え、
前記選択手段は、前記自動原稿送り装置が検知した原稿の量が所定量以上の場合、前記第２の処理を選択することを特徴とする請求項１に記載の原稿読取装置。
【請求項４】
前記選択手段は、モノクロ原稿を読み取る場合、前記第１の処理を選択し、カラー原稿を読み取る場合、前記第２の処理を選択することを特徴とする請求項１に記載の原稿読取装置。
【請求項５】
前記選択手段は、１枚目の読取画像が機密性の高いことを示す画像を含んでいた場合、２枚目以降の読取処理に対して、前記第１の処理を選択することを特徴とする請求項１に記載の原稿読取装置。
【請求項６】
請求項１乃至５のいずれか１項に記載の原稿読取装置を備えた画像処理装置であって、前記原稿読取装置により読み取った原稿の画像データを印刷出力することを特徴とする画像処理装置。
【請求項７】
請求項６に記載の画像処理装置と、ユーザ認証を行う認証サーバとが接続されたユーザ認証システムであって、
前記画像処理装置は、ユーザの認証情報を入力し、該入力した認証情報を前記認証サーバへ送信する認証入力手段を備え、
前記認証サーバは、前記認証入力手段からの認証情報に基づいてユーザ認証を行い、その認証結果を前記画像処理装置へ送信する認証手段を備えたことを特徴とするユーザ認証システム。
【発明の詳細な説明】
【技術分野】
【０００１】
本発明は、原稿読取装置、画像処理装置、及びユーザ認証システム、より詳細には、原稿のスキャン処理のためにユーザ認証を必要とする原稿読取装置、画像処理装置、及び該画像処理装置を備えたユーザ認証システムに関する。
【背景技術】
【０００２】
近年、複数のユーザに共用される複合機等の画像処理装置では、ＩＣカードリーダのような認証デバイスを用いて使用許可の管理等を行うようにしている。このような画像処理装置では、ユーザ認証がなされてから画像処理動作がスタートすることになるので、ユーザ認証に要する時間だけユーザの待ち時間が長くなってしまうという問題があった。
【０００３】
この問題を解決する従来技術として、例えば特許文献１には、指照合によるユーザ認証を行っても上記待ち時間が長くならないようにした画像形成装置が開示されている。これによれば、画像処理動作を実行中、または完了後にユーザ認証を行うことによってこの待ち時間を短縮するという内容になっている。
【特許文献１】特開平１１−５３１４７号公報
【発明の開示】
【発明が解決しようとする課題】
【０００４】
しかしながら、上記特許文献１をはじめとする従来技術では全ての画像処理動作に対して一律にスキャン後のユーザ認証を実施するため、スキャンする原稿が多い場合は待ち時間を軽減する効果があるが、スキャンする原稿が少ない場合は逆にユーザ認証を先にしたほうがスキャン処理負担を削減できるし、待ち時間もほとんどかからない。また、スキャン読み込みの後にユーザ認証を実行することによって、社外秘資料などセキュリティを優先すべき原稿を含め全てのスキャンデータがユーザ認証することなく画像処理装置に保管されてしまうという問題点がある。
【０００５】
本発明は、上述のごとき実情に鑑みてなされたものであり、原稿のスキャン条件に応じて、ユーザ認証後に原稿の読み取り処理を開始するか、あるいは、原稿の読み取り処理の開始後にユーザ認証するかを選択できる原稿読取装置、画像処理装置、及び該画像処理装置を備えたユーザ認証システムを提供すること、を目的とし、
より具体的には、スキャンする原稿が多い場合はスピード優先でスキャン後にユーザ認証を行い、スキャンする原稿が少ない場合はスキャン処理負担軽減優先でスキャン前にユーザ認証を行うこと、
また、スキャンを実行する前にセキュリティを優先させる原稿かどうかを判別し、「社外秘」などの所定文字が含まれた原稿は先に認証を行い、許可されたユーザしかスキャンデータを画像処理装置に保管できないようにすること、を目的とする。
【課題を解決するための手段】
【０００６】
上記課題を解決するために、本発明の第１の技術手段は、原稿の読み取り処理のためにユーザ認証を行う原稿読取装置であって、ユーザ認証後に原稿の読み取り処理を開始する第１の処理、あるいは、原稿の読み取り処理の開始後にユーザ認証する第２の処理を、原稿の読取条件に応じて選択する選択手段を備えたことを特徴としたものである。
【０００７】
第２の技術手段は、第１の技術手段において、原稿台にセットされた原稿を読み取る手段と、自動原稿送り装置にセットされた原稿を読み取る手段とを備え、前記選択手段は、前記原稿台にセットされた原稿を読み取る場合、前記第１の処理を選択することを特徴としたものである。
【０００８】
第３の技術手段は、第１の技術手段において、セットされた原稿の量を検知する検知機能を備えた自動原稿送り装置と、該自動原稿送り装置にセットされた原稿を読み取る手段とを備え、前記選択手段は、前記自動原稿送り装置が検知した原稿の量が所定量以上の場合、前記第２の処理を選択することを特徴としたものである。
【０００９】
第４の技術手段は、第１の技術手段において、前記選択手段は、モノクロ原稿を読み取る場合、前記第１の処理を選択し、カラー原稿を読み取る場合、前記第２の処理を選択することを特徴としたものである。
【００１０】
第５の技術手段は、第１の技術手段において、前記選択手段は、１枚目の読取画像が機密性の高いことを示す画像を含んでいた場合、２枚目以降の読取処理に対して、前記第１の処理を選択することを特徴としたものである。
【００１１】
第６の技術手段は、第１乃至第５のいずれか１の技術手段における原稿読取装置を備えた画像処理装置であって、前記原稿読取装置により読み取った原稿の画像データを印刷出力することを特徴としたものである。
【００１２】
第７の技術手段は、第６の技術手段における画像処理装置と、ユーザ認証を行う認証サーバとが接続されたユーザ認証システムであって、前記画像処理装置は、ユーザの認証情報を入力し、該入力した認証情報を前記認証サーバへ送信する認証入力手段を備え、前記認証サーバは、前記認証入力手段からの認証情報に基づいてユーザ認証を行い、その認証結果を前記画像処理装置へ送信する認証手段を備えたことを特徴としたものである。
【発明の効果】
【００１３】
本発明によれば、原稿のスキャン条件に応じて、ユーザ認証後に原稿の読み取り処理を開始するか、あるいは、原稿の読み取り処理の開始後にユーザ認証するかを選択できるため、処理時間の短縮、スキャン処理負担の軽減、セキュリティ確保のいずれを優先するかによって最適なユーザ認証・原稿読取処理を選ぶことができる。
例えば、スキャンする原稿が多い場合はスピード優先でスキャン後にユーザ認証を行い、スキャンする原稿が少ない場合はスキャン処理負担軽減優先でスキャン前にユーザ認証を行い、また、スキャンを実行する前にセキュリティを優先させる原稿かどうかを判別し、「社外秘」などの所定文字が含まれた原稿は先に認証を行い、許可されたユーザしかスキャンデータを画像処理装置に保管できないようにすることで、従来技術より効率的なユーザ認証とセキュリティの両立を図ることができる。
【発明を実施するための最良の形態】
【００１４】
以下、添付図面を参照しながら、本発明の原稿読取装置、画像処理装置、及び該画像処理装置を備えたユーザ認証システムの好適な実施形態について説明する。
【００１５】
図１は、本発明に係る画像処理装置を備えた認証システムの全体構成例を概略的に示した図である。図中、１はユーザ認証に使用する認証情報を含むＩＣカード、２はＩＣカード１によりユーザ認証するためのデバイスとして適用されるＩＣカードリーダ、１０は本発明の画像処理装置として適用される複合型の電子写真方式によるデジタル複写機、２０はユーザ認証を行う認証サーバを示す。デジタル複写機１０は、接続端子によりＩＣカードリーダ２と接続され、ＬＡＮなどのネットワークを介して認証サーバ２０と接続される。
【００１６】
このデジタル複写機１０は、本発明の原稿読取装置（スキャナ）およびプリンタを備え、上部に自動原稿送り装置（ＡＤＦ）を装着しており、ＡＤＦにセットされた原稿量を検知する機能を有する。ＡＤＦのスキャン原稿量検知機能は、公知の技術（例えば、特開平９−５０１５２号公報参照）として開示されている検出器を用いて、ＡＤＦの給紙口上部に取り付けられた回動可能な検知片の回動角に連動して原稿量を検知する。つまり、ＡＤＦに原稿をセットしたとき検知片が原稿上面にあたり、原稿を完全に給紙口に差込み移動すると原稿の高さに応じて検知片が回動する。原稿が少なければ少ないほど検知片が次第に下方に回動するので、その回動角から原稿量が多いか少ないかを判別することができる。
【００１７】
また、このデジタル複写機１０は、ＩＣカードリーダ２を接続するための接続端子と、認証サーバ２０と接続するためのネットワークインタフェイスとを備え、ＩＣカードリーダ２に挿入されたＩＣカード１のＩＣカードデータ（認証情報）を読み取り、このＩＣカードデータを認証サーバ２０に送信する機能と、認証サーバ２０から認証判別結果を受信し、この認証判別結果に応じた画像処理を実行する機能とを有する。
【００１８】
ＩＣカードリーダ２は、デジタル複写機１０に接続するための接続端子を備えており、ＩＣカード１を挿入したときにデジタル複写機１０がＩＣカードデータの読み取りを可能とする。
【００１９】
認証サーバ２０は、デジタル複写機１０と接続するためのネットワークインタフェイスを備え、デジタル複写機１０から送信されたＩＣカードデータを受信し、ユーザ認証用パターンデータと照合してユーザ認証を実行し、ユーザ認証判別結果をデジタル複写機１０に送信するユーザ認証機能と、デジタル複写機１０でスキャンされたスキャンデータをＯＣＲ処理するＯＣＲ機能と、ＯＣＲ処理されたスキャンデータの文字と所定文字とを照合し、その判別結果をデジタル複写機１０に送信するＯＣＲ所定文字判別機能とを有する。
【００２０】
図１において、ユーザはデジタル複写機１０でスキャン処理を実行する際に、ＩＣカード１をＩＣカードリーダ２に挿入する（Ｓ１）。デジタル複写機１０は、ＩＣカードリーダ２で読み取ったＩＣカードデータを認証サーバ２０に送信する（Ｓ２）。認証サーバ２０は、ユーザ認証の判別（Ｓ３）と、ＯＣＲ所定文字の判別（Ｓ４）とを実行し、認証判別結果をデジタル複写機１０に送信する（Ｓ５）。デジタル複写機１０は、認証サーバ２０から送信された認証判別結果を受信する（Ｓ６）。
【００２１】
図２は、本発明に係るデジタル複写機１０と認証サーバ２０の構成例を示す概略ブロック図である。本例ではデジタル複写機１０はＬＡＮ３を介しで認証サーバ２０と接続されている。
デジタル複写機１０は、大きく６つのブロックより成り、ＣＰＵを含む制御部１１と、ＩＣカードデータを読み取る認証入力部１２と、認証サーバ２０から受信した判別結果の内容を表示する操作部１３と、認証サーバ２０と接続するためのネットワークインタフェイスである外部接続部１４と、スキャン原稿量を検知する機能を備えたスキャナ部２０５と、スキャンデータを格納する記憶部２０６と、スキャンデータやプリントデータを印刷する印刷部２０７とから構成されている。
【００２２】
デジタル複写機１０の各ブロックについて説明する。
制御部１１は、スキャナ部１５のスキャン原稿量検知機能で検知した回動角を解析し原稿量が多いか少ないかを判別する機能と、カラースキャンかモノクロスキャンかを判別する機能と、ＡＤＦを使い且つスキャン原稿量が所定量より多い原稿をカラースキャンするときに１枚でスキャンをやめるスキャン枚数制御機能と、夫々の条件に合わせてスキャン前に認証するかスキャン後に認証するか判別する機能とを備える。
【００２３】
認証入力部１２は、本発明の認証入力手段に相当し、ＩＣカードリーダ２に挿入された、ユーザの認証情報を含むＩＣカードデータを読み取り、また、外部接続部１４を通じて認証サーバ２０の認証部２２にＩＣカードデータを送信する。
操作部１３は、認証サーバ２０の制御部２１でユーザ認証がＯＫかＮＧかを判別した結果とユーザに促すメッセージを操作パネル上に表示する。
外部接続部１４は、認証サーバ２０の外部接続部２３とＬＡＮ３などのネットワーク経由で接続するためのネットワークインタフェイスである。
【００２４】
スキャナ部１５は、原稿を１枚ずつ載置する原稿台（ＯＣ）と、複数枚の原稿を自動搬送する自動原稿送り装置（ＡＤＦ）と、ＯＣあるいはＡＤＦにセットされた原稿を所定の位置で読み取る読取手段とから構成されており、ＡＤＦはスキャン原稿量検知機能を有する。ＡＤＦのスキャン原稿量検知機能は、前述の検出器（例えば、特開平９−５０１５２号公報参照）を用いて、ＡＤＦの給紙口上部に取り付けられた回動可能な検知片の回動角に連動して原稿量を検知する。つまり、ＡＤＦに原稿をセットしたとき検知片が原稿上面にあたり、原稿を完全に給紙口に差込み移動すると原稿の高さに応じて検知片が回動する。ここで検知した回動角を制御部１１に伝達しスキャン原稿量を判別する。
【００２５】
記憶部１６は、ハードディスクなどの記録媒体で構成され、スキャナ部１５でスキャンされたスキャンデータを格納する。
印刷部１７は、外部接続部１４とネットワーク経由で接続しているＰＣ等の端末装置から印刷ジョブであるスキャンデータ、プリントデータを印刷する。
【００２６】
制御部１１は、本発明の選択手段に相当し、ユーザ認証後に原稿の読み取り処理を開始する第１の処理、あるいは、原稿の読み取り処理の開始後にユーザ認証する第２の処理を、原稿の読取条件に応じて選択する。原稿の読取条件とは、例えば、原稿がＯＣにセットされたかＡＤＦにセットされたか、セットされた原稿の量が多いか少ないか、モノクロ原稿かカラー原稿か、機密原稿か通常原稿か、などであり、これらの読取条件に応じて第１の処理、第２の処理のいずれかを選択する。
【００２７】
ユーザ認証後スキャン実行開始（第１の処理）の場合と、スキャン実行開始後ユーザ認証（第２の処理）の場合とでは、後者の方がスキャン終了までの時間が早くなるが、スキャン原稿によっては時間短縮が少ない場合がある。時間短縮が少ない場合は、ユーザ認証後スキャン実行開始した方が、ユーザ認証できなかったときのスキャン処理負担軽減やセキュリティの面では好ましい。そこで、本発明では、原稿のスキャン条件に応じて、処理時間の短縮、スキャン処理負担の軽減、セキュリティ確保のいずれを優先するかによって、最適なユーザ認証・原稿読取処理を選択できるようにしている。
【００２８】
例えば、制御部１１は、ＯＣにセットされた原稿を読み取る場合、ユーザ認証後スキャン実行開始を選択する。ユーザが原稿を１枚毎ＯＣにセットするには手間がかかるため、ＯＣにセットされた原稿をスキャンする方が、ＡＤＦにセットされた原稿をスキャンするよりもユーザのスキャン処理負担（作業負担）が大きい。そこで、ＯＣにセットされた原稿をスキャンする場合は、ユーザ認証した後にスキャン実行開始することで、ユーザ認証できなかったときのユーザのスキャン処理負担の軽減を優先させる。
【００２９】
また、制御部１１は、ＡＤＦが検知した原稿の量が所定量以上の場合、スキャン実行開始後ユーザ認証を選択するようにしてもよい。スキャン原稿が多いほどスキャン処理時間がかかるため、スキャン実行後にユーザ認証を行なうことで、スキャン終了までの時間短縮を優先させる。また、ＡＤＦは自動的に原稿を何枚もスキャンするため、スキャン実行後にユーザ認証を行なっても、ユーザのスキャン処理負担（作業負担）は変わらない。
【００３０】
ここで、スキャン実行後にユーザ認証を行い、ユーザ認証できなかった場合、スキャン画像が装置に記憶されたままになってしまうという問題がある。そこで、スキャン原稿が少ない場合にはスキャン処理時間が多くはかからないため、ユーザ認証後にスキャンを行なうようにしてもよい。これによりセキュリティ確保を優先させることができる。
【００３１】
また、制御部１１は、モノクロ原稿を読み取る場合、ユーザ認証後スキャン実行開始を選択し、カラー原稿を読み取る場合、スキャン実行開始後ユーザ認証を選択するようにしてもよい。カラー原稿のスキャンの方が、モノクロ原稿のスキャンよりも、スキャン処理時間がかかるため、スキャン実行後にユーザ認証を行なうことで、スキャン終了までの時間短縮を優先させる。一方、モノクロ原稿のスキャンは、カラー画像のスキャンと比較してスキャン処理時間がかからないため、ユーザ認証後にスキャンを行なうようにして、セキュリティ確保を優先させる。
【００３２】
また、制御部１１は、１枚目の読取画像が機密性の高いことを示す画像を含んでいた場合、２枚目以降の読取処理に対して、ユーザ認証後スキャン実行開始を選択するようにしてもよい。例えば、「社外秘」，「極秘」などの機密性の高い画像を含む原稿であれば、スキャン実行開始後ユーザ認証を行なった場合、ユーザ認証できなかったときに機密性の高いスキャン画像が装置に記憶されたままになってしまう。そこで、ユーザ認証後スキャン実行を行なうことで、セキュリティ確保を優先させる。
【００３３】
次に、認証サーバ２０は、大きく４つのブロックより成り、ユーザ認証とＯＣＲ所定文字の判別を行う制御部２１と、ＩＣカードデータを受け取る認証部２２と、デジタル複写機１０と接続するための外部接続部２３と、ユーザ認証用パターンデータとＯＣＲ所定文字を格納する記憶部２４とから構成されている。
【００３４】
認証サーバ２０の各ブロックについて説明する。
制御部２１は、デジタル複写機１０のスキャナ部１５でスキャンされたスキャンデータのＯＣＲ処理機能と、ＯＣＲ処理されたスキャンデータの文字と記憶部２４に格納されているＯＣＲ所定文字との照合判別機能と、認証部２２で受け取ったＩＣカードデータと記憶部２４に格納されているユーザ認証用パターンデータとの照合判別機能とを備える。
【００３５】
認証部２２は、本発明の認証手段に相当し、デジタル複写機１０の認証入力部１２から送信されたＩＣカードデータを外部接続部２３を通じて受け取り、認証処理を実行する。また、外部接続部２３を通じてデジタル複写機１０に認証結果を送信する。
外部接続部２３は、デジタル複写機１０の外部接続部１４とネットワーク経由で接続するためのネットワークインタフェイスである。
記憶部２４は、制御部２１が照合判別するときに使うユーザ認証用パターンデータとＯＣＲ所定文字が格納されている。ＯＣＲ所定文字とは、例えば「社外秘」、「極秘」などセキュリティを確保するための文字である。
【００３６】
図３は、本発明のデジタル複写機１０のＯＣを使いスキャンを実行するときのＩＣカード認証を含めた動作例を説明するためのフロー図である。原稿台（ＯＣ）を使ってのスキャンは通常スキャン原稿量は少ないのでスキャン処理負担削減優先でスキャン前にユーザ認証を行うものとする。
まず、デジタル複写機１０は、ユーザがスキャナ部１５のＯＣに原稿をセットしたことを検知する（ステップＳ１１）。そして、操作部１３の操作パネル上に例えば「ＩＣカードリーダにＩＣカードを挿入してください。」のようなＩＣカード認証を促すメッセージを表示する（ステップＳ１２）。
【００３７】
次に、デジタル複写機１０は、認証入力部１２にＩＣカードが挿入されたことを検知し、ＩＣカードデータを読み取り、外部接続部１４とネットワーク経由で接続している認証サーバ２０にＩＣカードデータを送信し、認証サーバ２０でのユーザ認証ＯＫ、ＮＧの判別後、認証サーバ２０から送信される認証判別結果を受信する（ステップＳ１３）。
【００３８】
次に、デジタル複写機１０は、認証サーバ２０からの認証判別結果に基づいて、認証がＯＫかどうかを判定する（ステップＳ１４）。認証処理の結果、認証がＯＫであれば（ＹＥＳの場合）、操作部１３の操作パネル上に例えば、「認証に成功しました。スタートボタンを押してスキャンを実行してください。」のような認証ＯＫであることを伝えるメッセージを表示する（ステップＳ１５）。そして、操作部１３にあるスタートボタンが押下されたことを検知すると（ステップＳ１６）、スキャナ部１５でスキャン原稿のスキャンを開始する（ステップＳ１７）。
【００３９】
一方、デジタル複写機１０は、ステップＳ１４において、認証処理の結果、認証がＮＧの場合（ＮＯの場合）、操作部１３の操作パネル上に例えば、「認証に失敗しました。」のような認証ＮＧであることを伝えるメッセージを表示し（ステップＳ１８）、処理を中断する（ステップＳ１９）。
【００４０】
図４，図５は、デジタル複写機１０のＯＣを使いスキャンを実行するときのＩＣカード認証を含めた操作部１３の操作遷移図である。なお、図５は図４の続きである。ＯＣを使ってのスキャンは通常スキャン原稿量は少ないのでスキャン処理負担削減優先でスキャン前にユーザ認証を行う。
【００４１】
図４（Ａ）において、まず、操作部１３にあるスキャンボタン１０１を押下されたことを検知し、スキャン機能を利用可能状態にする。次に、図４（Ｂ）において、操作部１３の操作パネル上に原稿をセットすることを促すメッセージ１０２として、例えば「ＯＣ、またはＡＤＦに原稿をセットしてください。」を表示する。次に、図４（Ｃ）において、ＯＣに原稿をセットしたことを検知し、操作部１３の操作パネル上にＩＣカード認証を促すメッセージ１０３として、例えば「ＩＣカードリーダにＩＣカードを挿入してください。」を表示する。
【００４２】
次に、図５（Ｄ）において、認証処理の結果、ユーザを認証できたときには、操作部１３の操作パネル上に認証ＯＫであることを伝えるメッセージ１０４として、例えば「認証に成功しました。スタートボタンを押してスキャンを実行してください。」を表示し、操作部１３にあるスタートボタンのうち、カラースキャンの場合、カラーボタン１０５、モノクロスキャンの場合、白黒ボタン１０６が押下されたことを検知し、スキャンを実行する。
【００４３】
一方、図５（Ｅ）において、認証処理の結果、ユーザを認証できなかったときには、操作部１３の操作パネル上に認証ＮＧであることを伝えるメッセージ１０７として、例えば「認証に失敗しました。」を表示し、処理を中断する。
【００４４】
図６は、本発明のデジタル複写機１０のＡＤＦを使いスキャンを実行するときのＩＣカード認証を含めた動作例を説明するためのフロー図である。本例のＡＤＦを使ってのスキャンの場合、夫々の条件に合わせてスキャン前に認証するか、スキャン後に認証するか判別を行う。
【００４５】
まず、デジタル複写機１０は、ユーザがスキャナ部１５のＡＤＦに原稿をセットしたことを検知すると（ステップＳ２１）、スキャナ部１５のスキャン原稿量検知機能でＡＤＦの給紙口上部に取り付けられた回動可能な検知片の回動角に連動して原稿量を判別する（ステップＳ２２）。このステップＳ２２で検知した回動角を制御部１１に伝達し、スキャン原稿量が所定量より多いか少ないかを判別する（ステップＳ２３）。
【００４６】
次に、デジタル複写機１０は、ステップＳ２３において、スキャン原稿量を判別した結果、所定より多い場合（ＹＥＳの場合）、操作部１３の操作パネル上に例えば、「スタートボタンを押してスキャンを実行してください。」のようなスキャン実行を促すメッセージを表示する（ステップＳ２４）。また、ステップＳ２３において、所定より少ない場合（ＮＯの場合）、ステップＳ２９に移行する。
【００４７】
次に、デジタル複写機１０は、スタートボタンが押下されたことを検知し、押されたスタートボタンがカラースキャンなのか、モノクロスキャンなのかを判別する（ステップＳ２５）。ステップＳ２５で判別した結果、カラースキャンの場合（ＹＥＳの場合）、制御部１１のスキャン枚数制御でＡＤＦにセットされた原稿の最初の１枚目をスキャンした時点で一旦スキャン処理を止める（ステップＳ２６）。また、ステップＳ２５において、モノクロスキャンの場合（ＮＯの場合）、ステップＳ２９に移行する。
【００４８】
次に、デジタル複写機１０は、ステップＳ２６で１枚スキャンしたスキャンデータを認証サーバ２０に送信し、認証サーバ２０の制御部２１でＯＣＲ処理を実行、ＯＣＲ処理されたスキャンデータの文字と記憶部２４に格納されているＯＣＲ所定文字との照合判別された結果を認証サーバ２０から受信する（ステップＳ２７）。
【００４９】
次に、デジタル複写機１０は、認証サーバ２０から受信したＯＣＲ所定文字判別結果をもとに、スキャン前認証を行うか、スキャン後認証を行うかを判別する（ステップＳ２８）。認証サーバ２０から受信したＯＣＲ所定文字判別結果がＯＣＲ所定文字を含んでいる場合（ＹＥＳの場合）、操作部１３の操作パネル上に例えば、「ＩＣカードリーダにＩＣカードを挿入してください。」のようなＩＣカード認証を促すメッセージを表示する（ステップＳ２９）。一方、認証サーバ２０から受信したＯＣＲ所定文字判別結果がＯＣＲ所定文字を含んでいない場合（ＮＯの場合）、ＡＤＦにセットされたスキャン原稿の２枚目以降のスキャンを続行する（ステップＳ３０）。
【００５０】
次に、デジタル複写機１０は、認証入力部１２にＩＣカードが挿入されたことを検知し、ＩＣカードデータを読み取り、外部接続部１４とネットワーク経由で接続している認証サーバ２０にＩＣカードデータを送信し、認証サーバ２０でのユーザ認証ＯＫ、ＮＧの判別後、認証サーバ２０から送信される認証判別結果を受信する（ステップＳ３１）。
【００５１】
次に、デジタル複写機１０は、認証サーバ２０からの認証判別結果に基づいて、認証がＯＫかどうかを判定する（ステップＳ３２）。認証処理の結果、認証がＯＫであれば（ＹＥＳの場合）、操作部１３の操作パネル上に例えば、「認証に成功しました。」のような認証ＯＫであることを伝えるメッセージを表示する（ステップＳ３３）。そして、スキャン処理が実行中であるかどうかを判別する（ステップＳ３４）。ステップＳ３４で判別した結果、スキャン処理中である場合（ＹＥＳの場合）、そのままスキャンを続行する（ステップＳ３５）。また、ステップＳ３４で判別した結果、スキャン処理が実行されていない場合（ＮＯの場合）、操作部１３にあるスタートボタンが押下されたことを検知すると（ステップＳ３６）、スキャナ部１５でＡＤＦにセットされた原稿のスキャンを開始する（ステップＳ３７）。
【００５２】
一方、デジタル複写機１０は、ステップＳ３２において、認証処理の結果、認証がＮＧの場合（ＮＯの場合）、操作部１３の操作パネル上に例えば、「認証に失敗しました。」のような認証ＮＧであることを伝えるメッセージを表示し（ステップＳ３８）。そして、スキャン処理が実行中であるかどうかを判別する（ステップＳ３９）。ステップＳ３９で判別した結果、スキャン処理中である場合（ＹＥＳの場合）、記憶部１６に格納されているスキャンデータのうち認証ＮＧと判別された該当スキャンデータを消去する（ステップＳ４０）。また、ステップＳ３９で判別した結果、スキャン処理が実行されていない場合（ＮＯの場合）、処理を中断する（ステップＳ４１）。
【００５３】
尚、上記では、ステップＳ２３、ステップＳ２５、ステップＳ２８の判断により、認証後スキャンを行なうか、スキャン後認証を行なうかを決めているが、これに限るものではなく、夫々の判断にのみ決定してもよい。例えば、ステップＳ２３で、枚数所定以上であれば、ステップＳ２５、ステップＳ２７、ステップＳ２８は行なわずに、スキャン後認証を行なってもよい。また、ステップＳ２２、ステップＳ２３、ステップＳ２７、ステップＳ２８は行なわずに、ステップＳ２５の判断のみで、何れを行なうかを決定してもよい。
【００５４】
図７，図８は、デジタル複写機１０のＡＤＦを使い、かつスキャン原稿量が所定量より少ない場合、スキャンを実行するときのＩＣカード認証を含めた操作部１３の操作遷移図である。なお、図８は図７の続きである。スキャン原稿量が所定量より少ないのでスキャン処理負担削減優先でスキャン前にユーザ認証を行う。
【００５５】
図７（Ａ）において、まず、操作部１３にあるスキャンボタン２０１を押下されたことを検知し、スキャン機能を利用可能状態にする。次に、図７（Ｂ）において、操作部１３の操作パネル上に原稿をセットすることを促すメッセージ２０２として、例えば「ＯＣ、またはＡＤＦに原稿をセットしてください。」を表示する。次に、図７（Ｃ）において、ＡＤＦに原稿をセットしたことを検知し、スキャナ部１５のスキャン原稿量検知機能でＡＤＦの給紙口上部に取り付けられた回動可能な検知片の回動角に連動して原稿量を判別し、回動角を制御部１１に伝達しスキャン原稿量が所定量より少ないことを判別した結果、操作部１３の操作パネル上にＩＣカード認証を促すメッセージ２０３として、例えば「ＩＣカードリーダにＩＣカードを挿入してください。」を表示する。
【００５６】
次に、図８（Ｄ）において、認証処理の結果、ユーザを認証できたときには、操作部１３の操作パネル上に認証ＯＫであることを伝えるメッセージ２０４として、例えば「認証に成功しました。スタートボタンを押してスキャンを実行してください。」を表示し、操作部１３にあるスタートボタンのうち、カラースキャンの場合、カラーボタン２０５、モノクロスキャンの場合、白黒ボタン２０６が押下されたことを検知し、スキャンを実行する。
【００５７】
一方、図８（Ｅ）において、認証処理の結果、ユーザを認証できなかったときには、操作部１３の操作パネル上に認証ＮＧであることを伝えるメッセージ２０７として、例えば「認証に失敗しました。」を表示し、処理を中断する。
【００５８】
図９，図１０は、デジタル複写機１０のＡＤＦを使い、かつスキャン原稿量が所定量より多い原稿をモノクロスキャンする場合、スキャンを実行するときのＩＣカード認証を含めた操作部１３の操作遷移図である。なお、図１０は図９の続きである。モノクロスキャンはカラースキャンに比べスキャンデータは少ないのでスキャン処理負担削減優先でスキャン前にユーザ認証を行う。
【００５９】
図９（Ａ）において、まず、操作部１３にあるスキャンボタン３０１を押下されたことを検知し、スキャン機能を利用可能状態にする。次に、図９（Ｂ）において、操作部１３の操作パネル上に原稿をセットすることを促すメッセージ３０２として、例えば「ＯＣ、またはＡＤＦに原稿をセットしてください。」を表示する。次に、図９（Ｃ）において、ＡＤＦに原稿をセットしたことを検知し、スキャナ部１５のスキャン原稿量検知機能でＡＤＦの給紙口上部に取り付けられた回動可能な検知片の回動角に連動して原稿量を判別し、回動角を制御部１１に伝達しスキャン原稿量が所定量より多いことを判別した結果、操作部１３の操作パネル上にスキャンの実行を促すメッセージ３０３として、例えば「スタートボタンを押してスキャンを実行してください。」を表示し、操作部１３にあるスタートボタンのうち、モノクロスキャンの白黒ボタン３０４が押下されたことを検知し、スキャンは実行しない。
【００６０】
次に、図１０（Ｄ）において、操作部１３の操作パネル上にＩＣカード認証を促すメッセージ３０５として、例えば「ＩＣカードリーダにＩＣカードを挿入してください。」を表示する。次に、図１０（Ｅ）において、認証処理の結果、ユーザを認証できたときには、操作部１３の操作パネル上に認証ＯＫであることを伝えるメッセージ３０６として、例えば「認証に成功しました。」を表示し、モノクロスキャンを実行する。
【００６１】
一方、図１０（Ｆ）において、認証処理の結果、ユーザを認証できなかったときには、操作部１３の操作パネル上に認証ＮＧであることを伝えるメッセージ３０７として、例えば「認証に失敗しました。」を表示し、処理を中断する。
【００６２】
図１１，図１２は、デジタル複写機１０のＡＤＦを使い、かつスキャン原稿量が所定量より多い原稿（機密文書）をカラースキャンする場合、スキャンを実行するときのＩＣカード認証を含めた操作部１３の操作遷移図である。なお、図１２は図１１の続きである。機密文書をカラースキャンする場合、セキュリティ優先でスキャン前にユーザ認証を行う。
【００６３】
図１１（Ａ）において、まず、操作部１３にあるスキャンボタン４０１を押下されたことを検知し、スキャン機能を利用可能状態にする。次に、図１１（Ｂ）において、操作部１３の操作パネル上に原稿をセットすることを促すメッセージ４０２として、例えば「ＯＣ、またはＡＤＦに原稿をセットしてください。」を表示する。次に、図１１（Ｃ）において、ＡＤＦに原稿をセットしたことを検知し、スキャナ部１５のスキャン原稿量検知機能でＡＤＦの給紙口上部に取り付けられた回動可能な検知片の回動角に連動して原稿量を判別し、回動角を制御部１１に伝達しスキャン原稿量が所定量より多いことを判別した結果、操作部１３の操作パネル上にスキャンの実行を促すメッセージ４０３として、例えば「スタートボタンを押してスキャンを実行してください。」を表示し、操作部１３にあるスタートボタンのうち、カラースキャンのカラーボタン４０４が押下されたことを検知し、ＡＤＦにセットされた原稿の最初の１枚目をカラースキャンした時点で一旦スキャン処理を止める。
【００６４】
次に、図１２（Ｄ）において、１枚スキャンしたスキャンデータを認証サーバ２０に送信し、認証サーバ２０の制御部２１でＯＣＲ処理を実行し、ＯＣＲ処理されたスキャンデータの文字と記憶部２４に格納されているＯＣＲ所定文字と照合判別され、ＯＣＲ所定文字を含む場合、操作部２３の操作パネル上にＩＣカード認証を促すメッセージ４０５として、例えば「スキャンしている原稿は機密文書です。ＩＣカードリーダにＩＣカードを挿入してください。」を表示する。
【００６５】
次に、図１２（Ｅ）において、認証処理の結果、ユーザを認証できたときには、操作部１３の操作パネル上に認証ＯＫであることを伝えるメッセージ４０６として、例えば「認証に成功しました。」を表示し、ＡＤＦにセットされたスキャン原稿の２枚目以降のカラースキャンを続行する。
【００６６】
一方、図１２（Ｆ）において、認証処理の結果、ユーザを認証できなかったときには、操作部１３の操作パネル上に認証ＮＧであることを伝えるメッセージ４０７として、例えば「認証に失敗しました。」を表示し、処理を中断する。
【００６７】
図１３，図１４は、デジタル複写機１０のＡＤＦを使い、かつスキャン原稿量が所定量より多い原稿（通常文書）をカラースキャンする場合、スキャンを実行するときのＩＣカード認証を含めた操作部１３の操作遷移図である。なお、図１４は図１３の続きである。通常文書をカラースキャンする場合、スピード優先でスキャン後にユーザ認証を行う。
【００６８】
図１３（Ａ）において、まず、操作部１３にあるスキャンボタン５０１を押下されたことを検知し、スキャン機能を利用可能状態にする。次に、図１３（Ｂ）において、操作部１３の操作パネル上に原稿をセットすることを促すメッセージ５０２として、例えば「ＯＣ、またはＡＤＦに原稿をセットしてください。」を表示する。次に、図１３（Ｃ）において、ＡＤＦに原稿をセットしたことを検知し、スキャナ部１５のスキャン原稿量検知機能でＡＤＦの給紙口上部に取り付けられた回動可能な検知片の回動角に連動して原稿量を判別し、回動角を制御部１１に伝達しスキャン原稿量が所定量より多いことを判別した結果、操作部１３の操作パネル上にスキャンの実行を促すメッセージ５０３として、例えば「スタートボタンを押してスキャンを実行してください。」を表示し、操作部１３にあるスタートボタンのうち、カラースキャンのカラーボタン５０４が押下されたことを検知し、ＡＤＦにセットされた原稿の最初の１枚目をカラースキャンした時点で一旦スキャン処理を止める。
【００６９】
次に、図１４（Ｄ）において、１枚スキャンしたスキャンデータを認証サーバ２０に送信し、認証サーバ２０の制御部２１でＯＣＲ処理を実行、ＯＣＲ処理されたスキャンデータの文字と記憶部２４に格納されているＯＣＲ所定文字と照合判別され、ＯＣＲ所定文字を含まない場合、ＡＤＦにセットされたスキャン原稿の２枚目以降のカラースキャンを続行し、スキャンの実行中、操作部１３の操作パネル上にＩＣカード認証を促すメッセージ５０５として、例えば「ＩＣカードリーダにＩＣカードを挿入してください。」を表示する。
【００７０】
次に、図１４（Ｅ）において、認証処理の結果、ユーザを認証できたときには、操作部１３の操作パネル上に認証ＯＫであることを伝えるメッセージ５０６として、例えば「認証に成功しました。スキャン処理を続行します。」を表示し、ＡＤＦにセットされたスキャン原稿のカラースキャンをそのまま続行する。
【００７１】
一方、図１４（Ｆ）において、認証処理の結果、ユーザを認証できなかったときには、操作部１３の操作パネル上に認証ＮＧであることを伝えるメッセージ５０７として、例えば「認証に失敗しました。スキャンデータを消去します。」を表示し、処理を中断、記憶部１６に格納されているスキャンデータのうち認証ＮＧと判別された該当スキャンデータを消去する。
【００７２】
図１５は、スキャン原稿の例を示す図である。
図１５（Ａ）は、デジタル複写機１０のＯＣもしくはＡＤＦを使い、モノクロスキャンする場合のスキャン原稿であり、例えば出張報告書のようなものである。また、図１５（Ｂ）は、デジタル複写機１０のＯＣもしくはＡＤＦを使い、カラースキャンする場合のスキャン原稿（機密文書）であり、例えばキックオフ資料のようなものである。また、図１５（Ｃ）は、デジタル複写機１０のＯＣもしくはＡＤＦを使い、カラースキャンする場合のスキャン原稿（通常文書）であり、例えば製品カタログのようなものである。
【００７３】
以上説明したように、本発明によれば、原稿のスキャン条件に応じて、ユーザ認証後に原稿の読み取り処理を開始するか、あるいは、原稿の読み取り処理の開始後にユーザ認証するかを選択できるため、処理時間の短縮、スキャン処理負担の軽減、セキュリティ確保のいずれを優先するかによって最適なユーザ認証・原稿読取処理を選ぶことができ、従来技術より効率的なユーザ認証とセキュリティの両立を図ることができる。
【図面の簡単な説明】
【００７４】
【図１】本発明に係る画像処理装置を備えた認証システムの全体構成例を概略的に示した図である。
【図２】本発明に係るデジタル複写機と認証サーバの構成例を示す概略ブロック図である。
【図３】本発明のデジタル複写機のＯＣを使いスキャンを実行するときのＩＣカード認証を含めた動作例を説明するためのフロー図である。
【図４】デジタル複写機のＯＣを使いスキャンを実行するときのＩＣカード認証を含めた操作部の操作遷移図である。
【図５】デジタル複写機のＯＣを使いスキャンを実行するときのＩＣカード認証を含めた操作部の操作遷移図である。
【図６】本発明のデジタル複写機のＡＤＦを使いスキャンを実行するときのＩＣカード認証を含めた動作例を説明するためのフロー図である。
【図７】デジタル複写機のＡＤＦを使い、かつスキャン原稿量が所定量より少ない場合、スキャンを実行するときのＩＣカード認証を含めた操作部の操作遷移図である。
【図８】デジタル複写機のＡＤＦを使い、かつスキャン原稿量が所定量より少ない場合、スキャンを実行するときのＩＣカード認証を含めた操作部の操作遷移図である。
【図９】デジタル複写機のＡＤＦを使い、かつスキャン原稿量が所定量より多い原稿をモノクロスキャンする場合、スキャンを実行するときのＩＣカード認証を含めた操作部の操作遷移図である。
【図１０】デジタル複写機のＡＤＦを使い、かつスキャン原稿量が所定量より多い原稿をモノクロスキャンする場合、スキャンを実行するときのＩＣカード認証を含めた操作部の操作遷移図である。
【図１１】デジタル複写機のＡＤＦを使い、かつスキャン原稿量が所定量より多い原稿（機密文書）をカラースキャンする場合、スキャンを実行するときのＩＣカード認証を含めた操作部の操作遷移図である。
【図１２】デジタル複写機のＡＤＦを使い、かつスキャン原稿量が所定量より多い原稿（機密文書）をカラースキャンする場合、スキャンを実行するときのＩＣカード認証を含めた操作部の操作遷移図である。
【図１３】デジタル複写機のＡＤＦを使い、かつスキャン原稿量が所定量より多い原稿（通常文書）をカラースキャンする場合、スキャンを実行するときのＩＣカード認証を含めた操作部の操作遷移図である。
【図１４】デジタル複写機のＡＤＦを使い、かつスキャン原稿量が所定量より多い原稿（通常文書）をカラースキャンする場合、スキャンを実行するときのＩＣカード認証を含めた操作部の操作遷移図である。
【図１５】スキャン原稿の例を示す図である。
【符号の説明】
【００７５】
１…ＩＣカード、２…ＩＣカードリーダ、３…ＬＡＮ、１０…デジタル複写機（画像処理装置）、１１，２１…制御部、１２…認証入力部、１３…操作部、１４，２３…外部接続部、１５…スキャナ部、１６，２４…記憶部、１７…印刷部、２０…認証サーバ、２２…認証部。
【図１】
2008113356.tif 000003
【図２】
2008113356.tif 000004
【図３】
2008113356.tif 000005
【図４】
2008113356.tif 000006
【図５】
2008113356.tif 000007
【図６】
2008113356.tif 000008
【図７】
2008113356.tif 000009
【図８】
2008113356.tif 000010
【図９】
2008113356.tif 000011
【図１０】
2008113356.tif 000012
【図１１】
2008113356.tif 000013
【図１２】
2008113356.tif 000014
【図１３】
2008113356.tif 000015
【図１４】
2008113356.tif 000016
【図１５】
2008113356.tif 000017